(57)【要約】【課題】販売機本体に開閉自在に設けられる前扉の不本意なこじ開けを確実に防止することのできるドア用ヒンジ装置を提供する。【解決手段】ヒンジピンを突設した第１のベース体に第１の嵌合部を設けると共に、上記ヒンジピンに嵌合する軸孔を備えて第１のベース体に回動自在に軸支される第２のベース体に前記第１の嵌合部に係合して第１のベース体と第２のベース体との横ずれを阻止する第１の係合部を設ける。また第１の嵌合部を設けた方向と交差する方向に前記ヒンジピンから所定の距離を隔てて立設される第３のベース体に第２の嵌合部を設けると共に、第２のベース体と一体に回動する第４のベース体に前記第２の嵌合部に係合して第３のベース体と第４のベース体との横ずれを阻止する第２の係合部を設ける。【選択図】      図１
2004293254.tif 000002
【特許請求の範囲】
【請求項１】
本体部に対して横開き可能にドア部の一側を回動自在に軸支するドア用ヒンジ装置であって、
ヒンジピンを突設した第１のベース体と、
この第１のベース体に上記ヒンジピンから所定の距離を隔てて設けられた第１の嵌合部と、
上記ヒンジピンに嵌合する軸孔を備えて前記第１のベース体に回動自在に軸支される第２のベース体と、
この第２のベース体に設けられ、前記第１のベース体と第２のベース体との相対的な回動に伴って前記第１の嵌合部に係合して前記第１のベース体と第２のベース体との横ずれを阻止する第１の係合部と、
前記第１の嵌合部を設けた方向と交差する方向に前記ヒンジピンから所定の距離を隔てて該ヒンジピンと平行に立設される第３のベース体と、
この第３のベース体に設けられた第２の嵌合部と、
前記第３のベース体に対して相対的に前記第２のベース体と一体に回動する第４のベース体と、
この第４のベース体に設けられ、前記第１の嵌合部と第１の係合部とが係合するときに前記第２の嵌合部に係合して前記第３のベース体と第４のベース体との横ずれを阻止する第２の係合部と
を具備したことを特徴とするドア用ヒンジ装置。
【請求項２】
前記第１の嵌合部と第１の係合部は、第１の溝とこの第１溝に嵌合する第１の突起との対をなし、前記第２の嵌合部と第２の係合部は、第２の溝およびこの第２の溝に嵌合する第２突起との対をなすものである請求項１に記載のドア用ヒンジ装置。
【請求項３】
前記第１および第３のベース体はそれぞれ前記本体部に固定されるものであって、前記第２および第４のベース体はそれぞれ前記ドア部に固定されるものである請求項１に記載のドア用ヒンジ装置。
【請求項４】
前記第１の嵌合部と第１の係合部は、その係合によって前記本体部に対する前記ドア部の幅方向へのずれを阻止するものであって、
前記第２の嵌合部と第２の係合部は、その係合によって前記本体部に対する前記ドア部の奥行き方向へのずれを阻止するものである請求項１に記載のドア用ヒンジ装置。
【請求項５】
内部に商品収納部を設けた販売機本体と、この販売機本体の前面に開閉自在に設けられる前扉と、この前扉の一側を前記販売機本体に回動自在に軸支する請求項１に記載のドア用ヒンジ装置とを具備したことを特徴とする自動販売機。
【発明の詳細な説明】
【０００１】
【発明の属する技術分野】
本発明は、例えば自動販売機のドア部を、その本体部に対して開閉自在に支持するに好適なドア用ヒンジ装置およびこのドア用ヒンジ装置を備えた自動販売機に関する。
【０００２】
【関連する背景技術】
たばこ等の箱形のパッケージ商品や、缶またはボトルに飲料を充填した飲料商品を販売する自動販売機は、図４に例示するように内部に商品収納部を設けた販売機本体１と、この販売機本体の前面に開閉自在に設けられる前扉２とを備える。前扉２は、通常、その一側部をヒンジ３機構を介して販売機本体１に回動自在に軸支されて横開き可能に設けられる。
【０００３】
尚、ヒンジ機構３は、ヒンジピン４を備えた第１のベース体５と、上記ヒンジピン４に嵌合する軸孔を備えた第２のベース体（図示せず）とからなり、専ら、第１のベース体５を販売機本体１に取り付けると共に、第２のベース体を前扉２に取り付けて用いられる（例えば特許文献１を参照）。また前扉２の上記ヒンジ機構３を取り付けた側とは反対側の辺部には、販売機本体１に対して前扉２を閉じ位置に固定する為のロック機構６が設けられる。
【０００４】
【特許文献１】
特開２００１−２５６５４２号
【０００５】
【発明が解決しようとする課題】
このようなヒンジ機構３を介して販売機本体１に開閉自在に設けられ、ロック機構６にて閉じ位置に固定される前扉２は、通常、ロック機構６を解除しない限り開けることはできない。しかしながら販売機本体１と前扉２との隙間に道具を差し込んで前扉２を無理矢理こじ開けたり、更にはヒンジ機構３におけるヒンジピン４を切断して前扉２を開け、その内部の商品等を抜き取ると言う悪質な窃盗事件が発生した。ちなみに上述した特許文献１に記載のヒンジ機構によれば、ヒンジピン４が第２のベース体の抜け止め用のピンをその周面に備えるので、第１のベース体１と第２のベース体との分離を防止し、前扉２の無理矢理なこじ開けを効果的に防止することができる。しかしなからヒンジピン４の切断には対処することができないと言う問題がある。
【０００６】
本発明はこのような事情を考慮してなされたもので、その目的は、仮にヒンジピンが切断された場合であっても前扉の不本意なこじ開けを確実に防止することのできるドア用ヒンジ装置を提供することにある。
また本発明は上述したドア用ヒンジ装置を用いることで盗難防止対策を施した自動販売機を提供することを目的としている。
【０００７】
【課題を解決するための手段】
上述した目的を達成するべく本発明に係るドア用ヒンジ装置は、例えば自動販売機の本体部（販売機本体）に対して横開き可能にドア部（前扉）の一側を回動自在に軸支するに好適なものであって、
ヒンジピンを突設した第１のベース体に上記ヒンジピンから所定の距離を隔てて第１の嵌合部を設けると共に、上記ヒンジピンに嵌合する軸孔を備えて前記第１のベース体に回動自在に軸支される第２のベース体に、前記第１のベース体と第２のベース体との相対的な回動に伴って前記第１の嵌合部に係合して前記第１のベース体と第２のベース体との横ずれを阻止する第１の係合部を設け、
更に前記第１の嵌合部を設けた方向と交差する方向に前記ヒンジピンから所定の距離を隔てて該ヒンジピンと平行に立設される第３のベース体に第２の嵌合部を設けると共に、上記第３のベース体に対して相対的に前記第２のベース体と一体に回動する第４のベース体に、前記第１の嵌合部と第１の係合部とが係合するときに前記第２の嵌合部に係合して前記第３のベース体と第４のベース体との横ずれを阻止する第２の係合部を設けたことを特徴としている。
【０００８】
ちなみに前記第１の嵌合部と前記第１の係合部とは、第１の溝とこの第１溝に嵌合する第１の突起との対をなすものであって、前記第２の嵌合部と前記第２の係合部は、第２の溝およびこの第２の溝に嵌合する第２突起との対をなすものである。具体的には第１の嵌合部が溝であり、第１の係合部は上記溝に入り込む突起であれば良い。逆に第１の係合部が溝であり、第１の嵌合部が上記溝に入り込む突起であっても良い。
【０００９】
また前記第１および第３のベース体はそれぞれ前記本体部に固定されるものであって、前記第２および第４のベース体はそれぞれ前記ドア部に固定されるものである。尚、前記第１および第２のベース体は互いに一体化された部品であっても良く、また前記第３および第４のベース体も互いに一体化された部品であっても良い。
【００１０】
本発明の好ましい態様は、前記第１の嵌合部と第１の係合部は、その係合によって前記本体部に対する前記ドア部の幅方向へのずれを阻止するものとして構成され、また前記第２の嵌合部と第２の係合部は、その係合によって前記本体部に対する前記ドア部の奥行き方向へのずれを阻止するものとして構成することが望ましい。
【００１１】
また本発明に係る自動販売機は、内部に商品収納部を設けた販売機本体と、この販売機本体の前面に開閉自在に設けられる前扉と、この前扉の一側を前記販売機本体に回動自在に軸支する上述した構成のドア用ヒンジ装置とを備得たことを特徴とする。
このような構成の自動販売機によれば、仮にドア用ヒンジ装置における上述したヒンジピンが不本意に切断されても、前述した第１の嵌合部と第１の係合部との係合、また第２の嵌合部と第２の係合部との係合によって前扉の販売機本体からの幅方向および前後方向へのずれがそれぞれ阻止されるので、ヒンジ部側とは反対側に設けられる前扉のロック機構と相俟って、販売機本体からの前扉の不本意な取り外しを確実に防ぐことが可能となる。
【００１２】
【発明の実施の形態】
以下、図面を参照して本発明の一実施形態に係るドア用ヒンジ装置について説明する。
このドア用ヒンジ装置は、内部に商品収納部を設けた販売機本体の前面に開閉自在に設けられる前扉を備えた自動販売機に組み込んで、前記前扉を横開き可能に軸支するに好適なものである。特にこのドア用ヒンジ装置は、図１にその概略構成を示すように販売機本体（本体部）１の床部前面側に固定されるヒンジプレート（第１のベース体）１０と上記販売機本体１の側壁内面の前面側に固定される本体側係合部品（第３のベース体）３０、また前扉（ドア部）２の一側下端部に固定されるヒンジ受け（第２のベース体）２０と上記前扉２の一側内壁面の下部に固定されるドア側係合部品（第４のベース体）４０とからなる。
【００１３】
ヒンジプレート（第１のベース体）１０は、略四角形状のプレート本体１１の一端部の上面に円柱状のヒンジピン１２を突設すると共に、このヒンジピン１２から所定長だけ離れたプレート本体１１の縁部を上方に直角に折り曲げて所定高さの直線状の突起片（第１の嵌合部）１３を形成した構造を有する。このヒンジプレート１０は、プレート本体１１の主面に設けた複数の固定孔１４を介して販売機本体１の床部にねじ止め固定される。また前記ヒンジピン１２の周面の所定高さ位置には、抜け止めピン１２ａが突設されている。
【００１４】
一方、上記ヒンジプレート１０と対をなすヒンジ受け（第２のベース体）２０は、所定の長さのプレート体２１を主体とし、その長辺部をそれぞれそれぞれ上方に折り曲げて板厚方向の機械的曲げ強度を高めたものからなる。特にこのヒンジ受け２０の一端部には、前記ヒンジピン１２に嵌合して該ヒンジピン１２に回動自在に軸支される軸孔２１が設けられており、また他端側にはその縁部から幅方向に切り込まれて前記突起片１３に嵌合する切り溝（第１の係合部）２２が設けられている。また上記軸孔２１の周縁には、前記抜け止めピン１２ａに対する逃げ溝２１ａが設けられている。このヒンジ受け２０は、上方に折り曲げられた長辺部２３に穿たれた固定孔２４を介して前扉２の裏面下部に溶接またはねじ止め固定される。
【００１５】
尚、ヒンジ受け２０における軸孔２１と切り溝２２との離反距離は、前記ヒンジプレート１０におけるヒンジピン１２と突起片１３との離反距離と等しく設定されている。そしてヒンジプレート１０とヒンジ受け部２０との結合は、ヒンジピン１２に突設された抜け止めピン１２ａと軸孔２１の縁部に形成された逃げ溝２１ａとの向きを合わせ、ヒンジピン１２の上方からヒンジ受け２０の軸孔２１を嵌め込むことによって行われる。この嵌め込みによってヒンジ受け２０は、抜け止めピン１２ａの下側に位置付けられ、ヒンジピン１２を軸として回動自在に設けられる。また前記ヒンジ受け２０における切り溝１３の開口端部は、ヒンジ受け２０がヒンジピン１２を回動軸として回動してヒンジプレート１０上に重ね合わせられる際、前記突起片１３に衝突することなく該突起片１３に嵌合（係合）するように斜めに切り欠かれている。
【００１６】
このようなヒンジプレート１０とヒンジ受け２０とに対して、ヒンジプレート１０のヒンジピン１２から販売機本体１の奥部側に上記ヒンジピン１２と平行に設けられる本体側係合部品（第３のベース体）３０は、その両縁部をコの字状に折り曲げて所定高さ（奥行き長）の裏面空間を形成したプレート本体３１の中央部に矩形状の嵌合孔（第２の嵌合部）３２を形成した構造を有する。この本体側係合部品３０は、上記プレート本体３１の一縁部をＬ字状に折り曲げた取り付け片３３に穿たれた複数の固定孔３４を介して販売機本体１の側壁内面にねじ止め固定される。
【００１７】
またこの本体側係合部品３０に係合するドア側係合部品（第４のベース体）４０は、前記嵌合孔３２に入り込む幅のプレート体４１からなり、その一端側を鈎状に折り曲げて前記嵌合孔３２内に入り込んで該嵌合孔３２の縁部に係合する鈎部（第２の係合部）４２とした構造を有する。このドア側係合部品４０は、プレート体４１の上記鈎部４２とは反対側の基部に設けられた複数の固定孔４３を介して、前扉２の裏面販売機本体１の裏側の側壁内面にねじ止め固定される。この際、本体側係合部品３０は、前記ヒンジ受け２０の軸孔２１に対して上記鈎部４２の向きが前記ヒンジ受け２０の切り溝２２が位置付けられた向きに対して直角となるように前扉２に取り付けられる。
【００１８】
かくしてこのようなヒンジプレート１０とヒンジ受け２０との対、および本体側係合部品３０とドア側係合部品４０との対からなるドア用ヒンジ装置を販売機本体１とその前扉２にそれぞれ取り付けて、販売機本体１の前面に前扉２を回動自在に設けた自動販売機によれば、図２（ａ）（ｂ）に前扉２を開けた状態と前扉２を閉じた状態とをそれぞれ示すように、前扉２を閉じることによってヒンジプレート１０上にヒンジ受け２０が位置付けられて前記突起片１３が切り溝２２内に入り込む。同時にドア側係合部品４０の鈎部４２が本体側係合部品３０の嵌合孔３２内に入り込む。
【００１９】
この結果、図３にこれらの各部品の相互関係を示すように、ヒンジ受け２０はヒンジプレート１０に対して自動販売機の幅方向である図中Ａ方向に位置ずれ不能に係合し、またドア側係合部品４０は本体側係合部品３０に対して自動販売機の奥行き方向である図中Ｂ方向に位置ずれ不能に係合する。またドア側係合部品４０の鈎部４２が本体側係合部品３０の嵌合孔３２内に入り込んでいるので、ドア側係合部品４０は本体側係合部品３０に対して自動販売機の高さ方向である図中Ｃ方向に位置ずれ不能に係合する。
【００２０】
尚、ヒンジピン１２に突設された抜け止めピン１２ａの下部には、ヒンジ受け２０のプレート体２１が潜り込んでいる。またその逃げ溝２１ａの向きが上記抜け止めピン１２ａに対して所定の角度だけずれている。この結果、上記抜け止めピン１２ａにより、ヒンジ受け２０はヒンジプレート１０に対して自動販売機の高さ方向である図中Ｃ方向に位置ずれ不能に係合している。
【００２１】
従ってドア用ヒンジ装置を介して販売機本体１の前面に開閉自在に取り付けられた前扉２は、仮に前記ヒンジピン１２が切断されても、販売機本体１に対してその幅方向Ａ、奥行き方向Ｂ、そして高さ方向Ｃにそれぞれ位置ずれ不能に支持されることになるので、販売機本体１からの取り外しが確実に阻止される。従ってヒンジピン１２の切断による自動販売機からの悪質な窃盗を確実に防止することが可能となる。
【００２２】
また上述した構成のドア用ヒンジ装置は、プレート体を折り曲げ加工し、また必要な溝孔を形成するだけで製作することができるので、その製作コストが安価であり、自動販売機に既設されている一般的なヒンジ機構との交換も容易である。しかも鉄板やステンレス鋼板等からなるヒンジプレート（第１のベース体）１０、ヒンジ受け（第２のベース体）２０、本体側係合部品（第３のベース体）３０、およびドア側係合部品（第４のベース体）４０の板厚各ベース体１０，２０，３０，４０の板厚を適当に設定しておけば、その機械的強度を十分に高く設定することができるので、道具を用いたこじ開け等にも十分に対処することが可能となる。
【００２３】
尚、本発明は上述した実施形態に限定されるものではない。例えヒンジプレート（第１のベース体）１０と本体側係合部品（第３のベース体）３０とを一体成形部品として形成することも勿論可能であり、ヒンジ受け（第２のベース体）２０とドア側係合部品（第４のベース体）４０とを一体成形部品として実現することも勿論可能である。
【００２４】
またここでは装置本体１にヒンジプレート１０を設け、前扉２にヒンジ受け２０を設けたが、ヒンジピン１２と軸孔２１との関係を逆にしても良いことは言うまでもない。更には突起片１３と切り溝２２との関係を逆にし、換言すればヒンジプレート１０に切り溝を設け、ヒンジ受け２０に上記切り溝と嵌合する突起片を設けることも勿論可能である。更に本体側係合部品３０とドア側係合部品４０との関係を逆にしても良いことも言うまでもない。その他、本発明はその要旨を逸脱しない範囲で種々変形して実施することができる。
【００２５】
【発明の効果】
以上説明したように本発明によれば、ヒンジピンを突設した第１のベース体と上記ヒンジピンに嵌合する軸孔を備えて前記第１のベース体に回動自在に軸支される第２のベース体とに、互いに係合して横方向の位置ずれを阻止する係合部を設けているので、ヒンジピンが切断された場合であってもその位置ずれを防止することができる。従って販売機本体の前面に前扉を開閉自在に取り付けた構造の自動販売機に適用して、ヒンジピンの破壊による盗難を確実に防止することができる等の実用上多大なる効果が奏せられる。
【図面の簡単な説明】
【図１】本発明の一実施形態に係るドア用ヒンジ装置を概略構成を示す分解斜視図。
【図２】図１に示すドア用ヒンジ装置を用いて自動販売機の前扉を開閉自在に設けたときの、前扉の開閉に伴うドア用ヒンジ装置の動きを示す要部構成図。
【図３】図１に示すドア用ヒンジ装置の係合状態を示す図。
【図４】販売機本体の前面にヒンジ機構を介して前扉を開閉自在に設けた自動販売機の概略構成を示す図。
【符号の説明】
１  販売機本体
２  前扉
１０  ヒンジプレート（第１のベース体）
１２  ヒンジピン
１３  突起片（第１の嵌合部）
２０  ヒンジ受け（第２のベース体）
２１  軸孔
２２  切り溝（第１の係合部）
３０  本体側係合部品（第３のベース体）
３２  嵌合孔（第２の嵌合部）
４０  ドア側係合部品（第４のベース体）
４２  鈎部（第２の係合部）
【図１】
2004293254.tif 000003
【図２】
2004293254.tif 000004
【図３】
2004293254.tif 000005
【図４】
2004293254.tif 000006